(57)【要約】【課題】コネクティングロッドワークをコネクティングロッド本体及びコネクティングロッドキャップに破断分割するときに生じる変形や欠けを簡易に防止することができるコネクティングロッド部品の製造装置及び製造方法を提供する。【解決手段】コネクティングロッドワーク（１０）の大端部（１１）の大端孔（１１Ａ）に挿入される内側治具（２０）と、前記大端部（１１）の側面に設けられる凹部（１１ａ）に嵌まり込む凸部（３０ａ）を有し、前記大端部（１１）の両側面に当接される外側治具（３０）と、前記内側治具（２０）もしくは外側治具（３０）の少なくとも一方に、前記大端部（１１）を拡張してコネクティングロッドワーク（１０）をコネクティングロッド部品であるコネクティングロッド本体（１０１）及びコネクティングロッドキャップ（１０２）に破断分割する拡張力を付与する駆動手段と、を備える。【選択図】図１
2010196882.tif 000002
【特許請求の範囲】
【請求項１】
コネクティングロッドワークの大端部の大端孔に挿入される内側治具と、
前記大端部の側面に設けられる凹部に嵌まり込む凸部を有し、前記大端部の両側面に当接される外側治具と、
前記内側治具もしくは外側治具の少なくとも一方に、前記大端部を拡張してコネクティングロッドワークをコネクティングロッド部品であるコネクティングロッド本体及びコネクティングロッドキャップに破断分割する拡張力を付与する駆動手段と、
を備えるコネクティングロッド部品の製造装置。
【請求項２】
前記大端孔の周縁には、破断分割させる破断予定面上に破断の起点となるノッチ部が設けられ、
前記凹部は、前記破断予定面を含んで設けられる、
ことを特徴とする請求項１に記載のコネクティングロッド部品の製造装置。
【請求項３】
前記コネクティングロッドワークのキャップ肩部に当接して設けられる支持構造を備える、
ことを特徴とする請求項１又は請求項２に記載のコネクティングロッド部品の製造装置。
【請求項４】
コネクティングロッドワークの大端部の大端孔に内側治具を挿入する内側挿入工程と、
前記大端部の側面に設けられる凹部と、前記大端部の両側面に配置される外側治具に設けられる凸部と、を嵌め込んで、前記大端部と外側治具とを当接する外側当接工程と、
前記内側治具に破断予定面と直交する方向の拡張力を付与する駆動工程と、
前記内側治具が拡張して、前記コネクティングロッドワークをコネクティングロッド本体及びコネクティングロッドキャップに破断分割する破断分割工程と、
を含むコネクティングロッド部品の製造方法。
【請求項５】
前記駆動工程は、前記外側治具に破断予定面と直交する方向の拡張力を付与し、
前記破断分割工程は、前記外側治具が破断予定面と直交する方向に拡張する、
ことを特徴とする請求項４に記載のコネクティングロッド部品の製造方法。
【請求項６】
前記駆動工程は、前記外側治具に破断予定面と平行する方向の押圧力を付与し、
前記破断分割工程は、前記外側治具が、破断予定面と平行する方向に押圧する、
ことを特徴とする請求項４に記載のコネクティングロッド部品の製造方法。
【請求項７】
コネクティングロッドワークの大端部の大端孔に内側治具を挿入する内側挿入工程と、
前記大端部の側面に設けられる凹部と、前記大端部の両側面に配置される外側治具に設けられる凸部と、を嵌め込んで前記大端部と外側治具とを当接する外側当接工程と、
前記外側治具に破断予定面と直交する方向の拡張力と破断予定面と平行する方向の押圧力を付与する駆動工程と、
前記外側治具が破断予定面と直交する方向に拡張し、さらに、前記大端部との当接面を押圧して、前記コネクティングロッドワークをコネクティングロッド本体及びコネクティングロッドキャップに破断分割する破断分割工程と、
を含むコネクティングロッド部品の製造方法。
【請求項８】
前記コネクティングロッドワークのキャップ肩部に当接して設けられる支持構造をさらに含み、
前記駆動工程は、前記支持構造に破断予定面と直交する方向の拡張力を付与し、
前記破断分割行程は、前記支持構造が前記コネクティングロッドワークのキャップ肩部を押圧する、
ことを特徴とする請求項４から請求項７のいずれか１項に記載のコネクティングロッド部品の製造方法。
【発明の詳細な説明】
【技術分野】
【０００１】
この発明は、コネクティングロッド部品の製造装置及び製造方法に関する。
【背景技術】
【０００２】
従来、コネクティングロッドワークの大端孔に内側治具を挿入して拡張することで大端孔の孔縁から亀裂を発生させて、コネクティングロッドワークを破断分割させてコネクティングロッド本体（以下適宜「本体」と称す）とコネクティングロッドキャップ（以下適宜「キャップ」と称す）とを製造する方法がある。そして破断分割したときにキャップが飛散してしまうのを防止するために、キャップ肩部にはキャップサポートと呼ばれる支持構造が配置されている。このような破断分割は、内側治具の拡張によって大端部が変形したり、破断面に微小な欠けが生じてしまうことがある。変形や欠けが生じては、後行程での本体とキャップとの組み付け性が悪くなる。そこで対策としてキャップサポートのキャップ肩部に対する押圧力を調整して変形や欠けを防止したり、特許文献１では欠けの少ない破断面にするために亀裂を誘導する切欠きを大端孔に設けている。
【先行技術文献】
【特許文献】
【０００３】
【特許文献１】特開２００５−１０６２７１号公報
【発明の概要】
【発明が解決しようとする課題】
【０００４】
しかし、前述したコネクティングロッド部品の製造方法は、キャップサポートの押圧力を適切に調整する必要がある。そしてその調整は、コネクティングロッドワークの素材や加工精度といった様々な要因を含むので微妙で難しいという問題点があった。
【０００５】
またキャップサポートが押圧する方向は、拡張方向とは逆向きである。この構成により、キャップサポートの押圧力が弱い場合には、大端部が自由変形に近い状態となり、内側が拡張による引張状態に、外側が圧縮状態になる。そして大端孔が楕円変形し、大端部の側面が弓なり変形してしまう。逆にキャップサポートの押圧力が強い場合には、大端部が内側から外側まで強い引張状態になり、切欠きから亀裂を進展させて破断分割させる破断予定面以外の箇所においても亀裂が発生する。そしてそれらの亀裂が重なり合うと欠けが生じてしまう。このようにキャップサポートの押圧力は、弱いと変形が生じ強いと欠けが生じるので上下限ともに存在し、不具合が発生する可能性が高い。
【０００６】
本発明は、このような従来の問題点に着目してなされたものであり、コネクティングロッドワークを破断分割するときに生じる変形や欠けを簡易に防止することができるコネクティングロッド部品の製造装置及び製造方法を提供することを目的とする。
【課題を解決するための手段】
【０００７】
本発明は以下のような解決手段によって前記課題を解決する。なお、理解を容易にするために本発明の実施形態に対応する符号を付するが、これに限定されるものではない。
【０００８】
本発明は、コネクティングロッドワーク（１０）の大端部（１１）の大端孔（１１Ａ）に挿入される内側治具（２０）と、前記大端部（１１）の側面に設けられる凹部（１１ａ）に嵌まり込む凸部（３０ａ）を有し、前記大端部（１１）の両側面に当接される外側治具（３０）と、前記内側治具（２０）もしくは外側治具（３０）の少なくとも一方に、前記大端部（１１）を拡張してコネクティングロッドワーク（１０）をコネクティングロッド部品であるコネクティングロッド本体（１０１）及びコネクティングロッドキャップ（１０２）に破断分割する拡張力を付与する駆動手段と、を備えることを特徴とする。
【発明の効果】
【０００９】
本発明によれば、内側治具が拡張しても外側治具が大端部の両側面に当接するので、大端部の変形、特に大端部側面の弓なり変形を防止することができる。また外側治具の凸部が大端部の凹部に嵌め込まれるので、大端部は並進方向を外側治具によって拘束される。よって大端部の内側を亀裂の起点として他方の拘束される外側に向かって亀裂が進展するので、欠けの発生が抑制された破断面にすることができる。さらにコネクティングロッドの素材や加工精度に依存する必要がないので品質管理の追加コストを削減でき材料コストを低減できる。
【図面の簡単な説明】
【００１０】
【図１】本発明の第１実施形態の構成図である。
【図２】本発明の大端部の外周に設けられる凹部の形状を示す図である。
【図３】本発明の第２実施形態の構成図である。
【図４】本発明の第３実施形態の構成図である。
【図５】本発明の第４実施形態の構成図である。
【発明を実施するための形態】
【００１１】
以下では図面等を参照して本発明を実施するための形態について説明する。
【００１２】
（第１実施形態）
図１は、本発明の第１実施形態の構成図であり、図１(Ａ)は要部拡大正面図、図１(Ｂ)は図１(Ａ)のＢ−Ｂ断面図である。
【００１３】
コネクティングロッド部品の製造装置１はコネクティングロッドワーク１０を破断分割することで、コネクティングロッド部品であるコネクティングロッド本体１０１とコネクティングロッドキャップ１０２とを製造する装置である。コネクティングロッド部品の製造装置１は、内側治具２０と、外側治具３０と、キャップサポート４０と、を備える。
【００１４】
コネクティングロッドワーク１０の大端部１１は、大端孔１１Ａに内側治具２０が挿入され、外側面の両側に外側治具３０が当接される。大端部１１は、ワーク１０の軸線と直交し、大端孔１１Ａの中心を通る面を破断予定面とする。大端部１１には予め、大端孔１１Ａの内周縁の破断予定面上に破断の起点となるノッチ部１１ｂを、また外側面の破断予定面上に凹部１１ａを、設ける。ここではノッチ部１１ｂをＶ字形とし先端が破断予定面上になるように設ける。また凹部１１ａは大端部１１の側面に開口して最深部が破断予定面上になるように設ける。
【００１５】
ここで図２を参照して凹部１１ａについて説明する。図２（Ａ）は本実施形態における凹部１１ａの形状である。凹部１１ａは、断面形状が半楕円状で大端部１１の外側面を大端孔１１Ａの軸方向に貫通する。図２（Ｂ）は他の凹部１１ａの形状の一案である。凹部１１ａは、大端部１１の側面の辺を軸に半楕円状の断面でくり抜き、２ヶ所設ける。凹部１１ａの形状は、破断予定面上に最深部が位置し、最深部以外の表面には角がなく滑らかであればよい。
【００１６】
再び図１に戻る。内側治具２０は、マンドレル２１と、楔２２と、ベース２３とを含む。
【００１７】
マンドレル２１は、半割状の２部材２１ａ，２１ｂからなる。マンドレル２１は中心に大端孔１１Ａの軸方向から楔２２が挿し込まれる。そして図１（Ｂ）に示すようにベース２３は、２部材２３ａ，２３ｂに分かれている。そしてマンドレル２１ａ，２１ｂは楔２２を挿し込む側と反対側がそれぞれベース２３ａ，２３ｂに固定される。楔２２は、根元が厚く、先端に向かって徐々に薄くなる。楔２２の根元には楔２２をマンドレル２１に挿し込む力（大端部１１を拡張する力）を楔２２に付与する例えばアクチュエータのような駆動装置が設けられる。そして楔２２の先端がマンドレル２１の中心に挿し込まれ、マンドレル２１とベース２３とはワーク１０が本体１０１とキャップ１０２とに分割される方向に平行にスライドする。
【００１８】
図１（Ａ）に示すように外側治具３０は、大端部１１の外側面の両側に設けられる。外側治具３０は、破断予定面を境に上下方向に２部材３１，３２に分割される。外側治具３０を構成する部材３１，３２は、それぞれ破断予定面の内側（大端部１１側）に凸部３１ａ，３２ａが設けられる。そして凸部３１ａ，３２ｂが破断予定面を合わせ面として凸部３０ａを形成する。凸部３０ａは破断予定面上に最深部がくるように設けられ、前述した大端部１１の凹部１１ａと嵌り合う。凸部３０ａは外側治具３０の拡張によって破断しない程度の強度を確保可能な大きさである。
【００１９】
外側治具３０は、大端部１１の側面に設けられる凹部１１ａに凸部３０ａを嵌め込んで大端部１１に当接する。図示を省略するが外側治具３０の上下部材３１，３２はそれぞれベース２３ａ，２３ｂと同じ方向へ連動して動く。外側治具３０の拡張力は内側治具２０ほどではなく、大端部１１の凹部１１ａに応力集中が見られる程度である。
【００２０】
キャップサポート４０は、一対のアクチュエータで構成され、大端部１１の両側のキャップ肩部１１Ｂをそれぞれ押圧する。その押圧力は、破断分割されたときにキャップ１０２が勢いでコネクティングロッド部品の製造装置から飛散しないよう押さえる程度である。
【００２１】
次に本実施形態の作用を説明する。図１（Ａ）に示すように内側治具２０が太矢印の方向に拡張する。具体的には図１（Ｂ）に示すように大端部１１を破断分割する拡張力を付与された楔２２がマンドレル２１の中心に挿し込まれ、マンドレル２１に沿って大端孔１１Ａを貫通する。そして楔２２は挿入端から徐々に厚くなるので、挿し込み量が増えるとマンドレル２１が拡がる。マンドレル２１ａ，２１ｂとベース２３ａ，２３ｂとはそれぞれ互いに引き離されるようにスライドする。
【００２２】
このとき大端部１１の大端孔１１Ａは拡張方向を長径とする楕円変形となり、大端部１１の内側には拡張方向の引張応力（細矢印）が生じる。そしてノッチ部１１ｂの最深部には応力が集中して亀裂の起点となる。
【００２３】
そして内側治具２０が拡張するとともに、ベース２３と連動して動く外側治具３０も太矢印の方向に拡張する。具体的には図１（Ａ）で示す上側部材３１が上方向へ、下側部材３２が下方向へ動く。これにより大端部の凹部１１ａにも引張応力（細矢印）が生じ、大端部の凹部１１ａの最深部には応力が集中する。
【００２４】
よって大端部１１の内側で発生した亀裂は、外側の凹部１１ａに向かって進展する。そしてノッチ部１１ｂと凹部１１ａとを通る破断面でワーク１０を本体１０１とキャップ１０２とに破断分割する。
【００２５】
本実施形態によれば、大端部の凹部１１ａに外側治具の凸部３０ａを嵌め込むとともに、大端部１１の外側面の両方に外側治具３０を当接させる。そして内側治具２０が拡張するタイミングで外側治具３０も拡張する。さらに大端部の凹部１１ａとノッチ部１１ｂの最深部が破断予定面上に位置するように設ける。このように構成することで、大端部１１の破断予定面には、面に垂直方向の引張応力が大端部１１の内側から外側まで生じる。その引張応力は、大端部１１の内側が大きくて外側が小さいので、ノッチ部１１ｂを起点とした亀裂が内側から外側に向かって進展する。さらに大端部１１の凹部１１ａの最深部は応力集中するので亀裂を誘導する。そして大端部１１の凹部１１ａを大端部１１の外側面を貫通するように設けている。よって亀裂が進展しやすく、欠けの発生を抑えた破断面とすることができる。また外側治具３０は大端部１１の外側面に当接するので、大端部１１の外側への変形を防止することができる。また外側治具３０は内側治具２０のベース２３を介して拡張するので、新たな外側治具３０専用の駆動装置が不要で装置を簡素化できる。
【００２６】
さらに外側治具３０を設けて大端部１１の変形や欠けを防止するので、コネクティングロッドワーク１０の素材や加工精度に頼らなくてよい。これにより、材料の配分を厳しく管理するための追加コストを削減でき材料コストを低減できる。
【００２７】
（第２実施形態）
図３は、本発明の第２実施形態の構成図である。なお以下では前述した内容と同様の機能を果たす部分には、同一の符号を付して重複する説明を適宜省略する。
【００２８】
外側治具３０は、大端部１１の外側面に当接するように配置される。外側治具３０は、大端部１１の拡張方向にそれぞれ部材３１，３２が移動することはなく、両者が一体となって固設される。外側治具３０は駆動装置を必要としない。外側治具３０は、大端部１１の両側から大端部１１の外側面全体に当接するように、その大きさを設定する。
【００２９】
図３に示すように外側治具３０は大端部１１の外側面に当接して固設される。これにより、大端部１１の外側面は拡張方向と直交方向に拘束される。楔２２が挿し込まれてマンドレル２１が図３における上下方向に拡張すると、大端部１１の側面には図中実線Ａで示すような曲げ力が作用して、外方に湾曲する。また凹部１１ａには図中実線Ｂで示すような曲げ力が作用して、潰れるように変形する。しかしながら本実施形態では、大端部１１の外側面に外側治具３０が当接しているので、曲げ力Ａの反力Ｃが作用して大端部１１の湾曲を防止できる。また凹部１１ａに凸部３０ａが嵌まっているので、曲げ力Ｂの反力Ｄが凹部１１ａに作用して潰れ変形を防止できるとともに反力Ｄの図３における上下方向成分によって凹部１１ａは応力が集中する。よって大端部１１の内側で発生した亀裂は、応力集中がみられる外側の凹部１１ａに向かって進展する。そしてワーク１０を本体１０１とキャップ１０２とに破断分割する。
【００３０】
本実施形態によれば、外側治具３０が大端部１１の外側面に当接するように大端部１１の両側に固設されるので、内側治具２０の拡張による大端部１１の変形、特に大端部１１の側面の弓なり変形を防止することができる。さらに大端部１１の凹部１１ａには破断予定面に垂直に引張応力が働き、凹部１１ａの最深部で応力集中するので、ノッチ部１１ｂを起点とする亀裂を凹部１１ａへ誘導する。よって内側を起点とした亀裂が破断予定面上を進展しやすく、欠けの発生を抑えた破断面とすることができる。
【００３１】
（第３実施形態）
図４は、本発明の第３実施形態の構成図である。
【００３２】
外側治具３０は内側治具２０の拡張と同時に大端部１１を挟持する。具体的には外側治具３０は、図４に示すように太矢印の方向へ大端部１１の外側面を内側に向けて押圧する。外側治具３０は、大端部１１の拡張方向にそれぞれ部材３１，３２が移動することはなく両者が一体となっている。よって図示を省略するが外側治具３０は内側治具２０の駆動装置を共用せず、別途太矢印方向へ可動するアクチュエータのような駆動装置が設けられる。外側治具３０の押圧力は、大端部１１の凹部１１ａの応力集中を増大させる程度である。
【００３３】
図４に示すように外側治具３０は内側治具２０が拡張するとともに、大端部１１の外側面との当接面に太矢印の方向に押圧する。これにより大端部１１の凹部１１ａには細矢印の方向に圧縮応力が生じ、その成分は結果として破断予定面に対して垂直に作用する引張応力となる。よって大端部１１の内側で発生した亀裂は、応力集中がみられる外側の凹部１１ａに向かって進展する。そしてワーク１０を本体１０１とキャップ１０２とに破断分割する。
【００３４】
本実施形態によれば、内側治具２０が拡張するタイミングで外側治具３０は大端部１１の外側面を両側から押圧する。これにより大端部１１の凹部１１ａには破断予定面に垂直に引張応力が働くので、ノッチ部１１ｂを起点とする亀裂を凹部１１ａへ誘導する。第２実施形態の効果に増して、亀裂が破断予定面に沿って進展しやすく、欠けの発生を抑えた破断面とすることができる。
【００３５】
（第４実施形態）
図５は、本発明の第４実施形態の作用を示す図である。
【００３６】
大端部１１は、ノッチ部１１ｂを大端孔１１Ａの内周縁ではなく、大端部の外側面に設ける凹部１１ａの最深部に設ける。
【００３７】
内側治具２０は、分割型ではなく円形状の一体型マンドレル２１を含み、大端部１１の大端孔１１Ａに挿入して固定される。内側治具２０は、他の実施形態のように拡張方向の力を大端部１１に作用しないので駆動装置を必要としない。内側治具２０は、大端部１１の大端孔１１Ａの内方への変形を阻止する。
【００３８】
これに対して外側治具３０は、大端部１１を拡張すると同時に大端部１１の外側面を押圧する。外側治具３０の拡張方向の力は、大端部１１を破断するのに必要な力である。外側治具３０の押圧力は、大端部１１の凹部１１ａの応力集中を増大させる程度である。外側治具３０は図示を省略するが２方向に力を付与する駆動装置が設けられる。
【００３９】
図５に示すように外側治具３０は大端部１１を外側から拡張する。大端部１１の外側には細矢印で示すような拡張方向の引張応力が生じ、ノッチ部１１ｂで応力集中する。このとき大端部１１の大端孔１１Ａには図中実線Ａで示すような曲げ力が作用して、大端孔１１Ａは拡張方向を短径、破断方向を長径とする楕円変形となる。しかしながら本実施形態では内側治具２０を固定しているので、曲げ力Ａの反力Ｂが作用して大端孔１１Ａの変形を防止する。さらに外側治具２０は大端部１１の外側面を押圧するので、第３実施形態と同様に破断予定面に垂直にはたらく引張応力を大きくするとともに、大端孔１１Ａの破断方向の変形を防止する。そして大端部１１の外側で発生した亀裂は、内側に向かって進展する。そしてワーク１０を本体１０１とキャップ１０２とに破断分割する。
【００４０】
本実施形態によれば、内側治具２０を固定とし外側治具３０が大端部１１の外側面を押圧するので、大端孔１１Ａの真円度が高い状態を維持することができる。また大端部１１の凹部１１ａに重ねてノッチ部１１ｂを設けるので、外側治具３０を拡張したときにノッチ部１１ｂの先端に集中する応力が大きい。これらによりノッチ部１１ｂが亀裂の起点となり、その亀裂の進展は破断予定面に近く、欠けの発生が少ない破断面にすることができる。
【００４１】
以上説明した実施形態に限定されることなく、その技術的思想の範囲内において種々の変形や変更が可能であり、それらも本発明の技術的範囲に含まれることが明白である。例えば、キャップサポートはワークを破断分割したときに装置からキャップが飛び出さないように防止するために使用したが、キャップサポートにある程度の押圧力を付与して、大端部にかける力を外側治具や内側治具と分担させてもよい。実施形態では大端部の破断分割方向がワークの軸に直交する方向の場合で説明したが、直交せずに斜めに分割する場合にも本発明は適用可能である。外側治具は動作方向が同じ場合に内側治具のベースを介して同期して作用するようにしたが、別々に動かしてもよい。また外側治具と内側治具とは動作を同期させる必要はなく、大端部の変形を防止する力を治具が破断分割する力でワークを拡張する前に付与してもよい。
【符号の説明】
【００４２】
１０  コネクティングロッドワーク
１０１  コネクティングロッド本体
１０２  コネクティングロッドキャップ
１１  大端部
１１Ａ  大端孔
１１Ｂ  キャップ肩部
１１ａ  凹部
１１ｂ  ノッチ部
２０  内側治具
３０  外側治具
３０ａ  凸部
４０  支持構造（キャップサポート）
【図１】
2010196882.tif 000003
【図２】
2010196882.tif 000004
【図３】
2010196882.tif 000005
【図４】
2010196882.tif 000006
【図５】
2010196882.tif 000007